(57)【要約】【課題】探査可能深度が地表面から浅い範囲に限定されず、探査範囲の地質等に大きな影響を受けず、埋設物の大きさに影響を受けず、更に探査対象の金属塊の製造時期を限定してその時期に製造されたと考えられる金属塊のみを対象として効率的に探査することを可能にする。【解決手段】金属塊が腐食することにより地下水に溶出した金属塊含有成分を着目成分とし、地下水中の着目成分の濃度がより高い地域に腐食金属塊が埋没していると判断するようにした。【選択図】図１
2007040802.tif 000002
【特許請求の範囲】
【請求項１】
金属塊が腐食することにより地下水に溶出した金属塊含有成分を着目成分とし、地下水中の前記着目成分の濃度がより高い地域に腐食金属塊が埋没していると判断することを特徴とする腐食金属塊の埋没位置探査方法。
【請求項２】
金属塊が腐食することにより地下水に溶出した金属塊含有成分を着目成分とし、２地点の地下水中の前記着目成分の濃度を比較し、該比較の結果に基づいて腐食金属塊が埋没している範囲を絞り込むことを特徴とする腐食金属塊の埋没位置探査方法。
【請求項３】
金属塊が腐食することにより地下水に溶出した金属塊含有成分を着目成分とし、２地点の地下水中の前記着目成分の濃度を比較し、前記２地点を結ぶ線分の中点で該線分と直交する平面で区分された範囲のうち前記着目成分の濃度が高い方の地点のある範囲を腐食金属塊埋没範囲とすることを地下水を採取した地点のうちの２地点の組み合わせ毎に行い、該２地点の組み合わせ毎の腐食金属塊埋没範囲の全てが重なる部分に腐食金属塊が埋没していると判断することを特徴とする腐食金属塊の埋没位置探査方法。
【請求項４】
金属塊が腐食することにより地下水に溶出した金属塊含有成分を着目成分とし、地下水流路の地下水中の前記着目成分の有無に基づいて腐食金属塊が埋没している範囲を絞り込むことを特徴とする腐食金属塊の埋没位置探査方法。
【請求項５】
金属塊が腐食することにより地下水に溶出した金属塊含有成分を着目成分とし、地下水流路上の地点の地下水から前記着目成分が検出された場合には前記地点の上流側の範囲を腐食金属塊埋没範囲とし、地下水流路上の地点の地下水から前記着目成分が検出されない場合には前記地点の下流側の範囲を腐食金属塊埋没範囲とすることを特徴とする腐食金属塊の埋没位置探査方法。
【請求項６】
前記金属塊含有成分は探査対象の金属塊の製造時期に特徴的な金属塊含有成分であることを特徴とする請求項１から５のいずれかに記載の腐食金属塊の埋没位置探査方法。
【請求項７】
金属塊が腐食することにより地下水に溶出した金属塊含有成分を着目成分とし、地下水採取地点の位置及び該地下水採取地点毎の前記着目成分の濃度を入力する入力手段と、２地点の地下水中の前記着目成分の濃度を比較する比較手段と、前記２地点を結ぶ線分の中点で該線分と直交する平面で区分された範囲のうち前記着目成分の濃度が高い方の地点のある範囲を腐食金属塊埋没範囲とすることを地下水を採取した地点のうちの２地点の組み合わせ毎に行う埋没範囲設定手段と、該２地点の組み合わせ毎の腐食金属塊埋没範囲の全てが重なる部分を抽出する抽出手段と、前記地下水採取地点の位置及び前記部分を表示する表示手段とを有することを特徴とする腐食金属塊の埋没位置探査装置。
【請求項８】
金属塊が腐食することにより地下水に溶出した金属塊含有成分を着目成分とし、地下水採取地点の位置及び該地下水採取地点毎の前記着目成分の濃度並びに地下水流路の位置及び該地下水流路の地下水の流れの向きを入力する入力手段と、前記地下水流路上の前記地下水採取地点の地下水から前記着目成分が検出された場合には前記地下水採取地点の上流側の範囲を腐食金属塊埋没範囲とし、前記地下水流路上の前記地下水採取地点の地下水から前記着目成分が検出されない場合には前記地下水採取地点の下流側の範囲を腐食金属塊埋没範囲とする埋没範囲設定手段と、前記地下水採取地点の位置及び前記地下水流路の位置並びに前記腐食金属塊埋没範囲を表示する表示手段とを有することを特徴とする腐食金属塊の埋没位置探査装置。
【請求項９】
前記金属塊含有成分は探査対象の金属塊の製造時期に特徴的な金属塊含有成分であることを特徴とする請求項７または８記載の腐食金属塊の埋没位置探査装置。
【発明の詳細な説明】
【技術分野】
【０００１】
本発明は、腐食金属塊の埋没位置探査方法並びに装置に関する。さらに詳述すると、本発明は、地中に埋没したまま腐食した金属塊の埋没位置の探査方法並びに装置に関する。
【背景技術】
【０００２】
従来の地下埋設物の探査方法として、電磁波を地中に向けて放射しその電磁波が埋設物に反射して生じる反射波に基づいて地下埋設物の位置を探査する方法が知られている。この方法を用いた地下埋設物の探査装置として、地中にパルス状の電磁波を送信しその反射波を受信して埋設物の位置を算出する装置がある（特許文献１）。
【０００３】
図１７に示すように、この装置は調査孔の内部に先端から挿入する筒状のロッド１０１と、ロッド１０１の先端に設けられ地中に対してパルス状の電磁波を送信しその反射波を受信するセンサ部１０２と、埋設物１０５までの距離を算出する演算処理部１１４とを有するものである。そして、センサ部１０２での電磁波の送受信時間差に基づいてセンサ部１０２から埋設物１０５までの距離を算出してロッド１０１の各挿入位置毎に得られた距離から埋設物１０５の位置を算出するようにしている。
【０００４】
【特許文献１】特開平１１−８４０２１号公報
【発明の開示】
【発明が解決しようとする課題】
【０００５】
特許文献１の電磁波を用いた探査方法によると、地下埋設物の探査可能範囲は放射波が埋設物に到達し且つその反射波を受信し得る程度の比較的狭い範囲に限られ、埋設物がセンサ部から離れた位置にあると探知することができない。したがって、大規模範囲を対象に探査を行う場合には、調査孔を多数掘削しなければならない等大変な手間がかかる。また、地上に道路や構造物がある場合にはその範囲については探査をすることができない。また、電磁波の均一な伝播を妨げる地下水或いは砂鉄等の鉱物が多い所では埋設物を探査することができない。更に、埋設物が存在していない状態と明らかな差異が見られる反射波を生じ得る一定以上の大きさを有する埋設物の探査に限定される。
【０００６】
しかしながら、例えば不発弾のように埋没したまま放置した場合に不測の事故を誘発する可能性がある危険物の探査については、大規模範囲を効率的に且つ埋没している可能性がある深度まで探査することが可能な探査方法の提供が望まれる。また、探査範囲の地上の構造物や地質等に大きな影響を受けず、どのような場所であっても確度高く探査することが可能な探査方法の提供が望まれる。更に、埋設物の大きさに影響を受けることなく、不発弾程度の大きさであっても探査することが可能な探査方法の提供が望まれる。
【０００７】
また、特許文献１の電磁波を用いた探査方法では、埋設物の種類や製造時期を探知することはできない。したがって、探査対象を例えば不発弾等特定の金属塊に限定して探査したい場合であっても、探知されたあらゆる埋設物を実際に回収してみなければ埋設物の属性は分からず、埋設物の属性を限定した探査を行うにはあまりに非効率的であって現実的でない。そこで、あらゆる埋設物を対象にするのではなく探査対象とする金属塊の製造時期を限定し、その時期に製造されたと考えられる金属塊のみを対象として探査することにより効率的に金属塊を探査することが可能な探査方法の提供が望まれる。
【０００８】
そこで、本発明は、大規模範囲の探査にも適していると共に探査可能深度が地表面から浅い範囲に限定されず、また探査範囲の地上の構造物や地質等に大きな影響を受けず、更に埋設物の大きさに影響を受けない腐食金属塊の埋没位置探査方法並びに装置を提供することを目的とする。また、本発明は、探査対象の金属塊の製造時期を限定してその時期に製造されたと考えられる金属塊のみを対象として効率的に探査することが可能な腐食金属塊の埋没位置探査方法並びに装置を提供することを目的とする。
【課題を解決するための手段】
【０００９】
かかる目的を達成するため、本発明の腐食金属塊の埋没位置探査方法は、金属塊が腐食することにより地下水に溶出した金属塊含有成分を着目成分とし、地下水中の着目成分の濃度がより高い地域に腐食金属塊が埋没していると判断するようにしている。
【００１０】
また、本発明の腐食金属塊の埋没位置探査方法は、金属塊が腐食することにより地下水に溶出した金属塊含有成分を着目成分とし、２地点の地下水中の着目成分の濃度を比較し、比較の結果に基づいて腐食金属塊が埋没している範囲を絞り込むようにしている。
【００１１】
更に、本発明の腐食金属塊の埋没位置探査方法は、金属塊が腐食することにより地下水に溶出した金属塊含有成分を着目成分とし、２地点の地下水中の着目成分の濃度を比較し、２地点を結ぶ線分の中点で線分と直交する平面で区分された範囲のうち着目成分の濃度が高い方の地点のある範囲を腐食金属塊埋没範囲とすることを地下水を採取した地点のうちの２地点の組み合わせ毎に行い、２地点の組み合わせ毎の腐食金属塊埋没範囲の全てが重なる部分に腐食金属塊が埋没していると判断するようにしている。
【００１２】
また、本発明の腐食金属塊の埋没位置探査方法は、金属塊が腐食することにより地下水に溶出した金属塊含有成分を着目成分とし、地下水流路の地下水中の着目成分の有無に基づいて腐食金属塊が埋没している範囲を絞り込むようにしている。
【００１３】
更に、本発明の腐食金属塊の埋没位置探査方法は、金属塊が腐食することにより地下水に溶出した金属塊含有成分を着目成分とし、地下水流路上の地点の地下水から着目成分が検出された場合には地点の上流側の範囲を腐食金属塊埋没範囲とし、地下水流路上の地点の地下水から着目成分が検出されない場合には地点の下流側の範囲を腐食金属塊埋没範囲とするようにしている。
【００１４】
また、本発明の腐食金属塊の埋没位置探査装置は、金属塊が腐食することにより地下水に溶出した金属塊含有成分を着目成分とし、地下水採取地点の位置及び地下水採取地点毎の着目成分の濃度を入力する入力手段と、２地点の地下水中の着目成分の濃度を比較する比較手段と、２地点を結ぶ線分の中点で線分と直交する平面で区分された範囲のうち着目成分の濃度が高い方の地点のある範囲を腐食金属塊埋没範囲とすることを地下水を採取した地点のうちの２地点の組み合わせ毎に行う埋没範囲設定手段と、２地点の組み合わせ毎の腐食金属塊埋没範囲の全てが重なる部分を抽出する抽出手段と、地下水採取地点の位置及び部分を表示する表示手段とを有するようにしている。
【００１５】
更に、本発明の腐食金属塊の埋没位置探査装置は、金属塊が腐食することにより地下水に溶出した金属塊含有成分を着目成分とし、地下水採取地点の位置及び地下水採取地点毎の着目成分の濃度並びに地下水流路の位置及び地下水流路の地下水の流れの向きを入力する入力手段と、地下水流路上の地下水採取地点の地下水から着目成分が検出された場合には地下水採取地点の上流側の範囲を腐食金属塊埋没範囲とし、地下水流路上の地下水採取地点の地下水から着目成分が検出されない場合には地下水採取地点の下流側の範囲を腐食金属塊埋没範囲とする埋没範囲設定手段と、地下水採取地点の位置及び地下水流路の位置並びに腐食金属塊埋没範囲を表示する表示手段とを有するようにしている。
【００１６】
したがって、この腐食金属塊の埋没位置探査方法並びに装置によると、探査可能範囲が電磁波の反射波を受信できる範囲に限定されるという問題がない。また、地上の構造物を避けた位置で地下水を採取することにより腐食金属塊の探査ができる。更に、どのような地質であっても探査することができる。また更に、金属塊の腐食に伴ってppm単位で検出され得る含有成分が地下水に溶け出す程度の大きさの金属塊を探査することができる。
【００１７】
更に、本発明の腐食金属塊の埋没位置探査方法並びに装置は、金属塊含有成分は探査対象の金属塊の製造時期に特徴的な金属塊含有成分であるようにしている。
【００１８】
したがって、この腐食金属塊の埋没位置探査方法並びに装置によると、金属塊の含有成分から判断される製造時期を探査条件として設定することができる。
【発明の効果】
【００１９】
以上説明したように、本発明の腐食金属塊の埋没位置探査方法並びに装置によれば、探査可能範囲が電磁波の反射波を受信できる範囲に限定されるという問題がないので大規模範囲の探査にも適していると共に、地下水採取のための調査孔の掘削が可能な深度まで埋没金属塊を探査することが可能である。また、地上の構造物を避けた位置で地下水を採取することにより腐食金属塊の探査ができるので、地上に構造物がある場合でも探査することが可能である。更に、どのような地質であっても探査することができるので、多様な場所で探査を行うことが可能である。また更に、金属塊の腐食に伴ってppm単位で検出され得る含有成分が地下水に溶け出す程度の大きさの金属塊を探査することができるので、小さな金属塊を探査することが可能であり、多様な用途に適用可能であると共により厳密な探査を行うことが可能である。
【００２０】
また、金属塊の含有成分から判断される製造時期を探査条件として設定することができるので、この探査条件に合致する金属塊のみを対象として効率的に探査することが可能である。
【発明を実施するための最良の形態】
【００２１】
以下、本発明の構成を図面に示す最良の形態に基づいて詳細に説明する。図１〜図１６に本発明の腐食金属塊の埋没位置探査方法並びに装置の実施形態の一例を示す。
【００２２】
本発明の腐食金属塊の埋没位置探査方法は、金属塊が腐食することにより地下水に溶出した金属塊含有成分を着目成分とし、地下水中の着目成分の濃度がより高い地域に腐食金属塊が埋没していると判断することに基づくものである。
【００２３】
更に、本発明の腐食金属塊の埋没位置探査方法は、金属塊が腐食することにより地下水に溶出した金属塊含有成分を着目成分とし、２地点の地下水中の着目成分の濃度を比較し、比較の結果に基づいて腐食金属塊が埋没している範囲を絞り込むものである。
【００２４】
また、本発明の腐食金属塊の埋没位置探査方法は、金属塊が腐食することにより地下水に溶出した金属塊含有成分を着目成分とし、地下水流路の地下水中の着目成分の有無に基づいて腐食金属塊が埋没している範囲を絞り込むものである。
【００２５】
＜第１の実施形態＞
図１６に本実施形態の腐食金属塊の埋没位置探査装置１の構成を示す。本実施形態の腐食金属塊の埋没位置探査装置１は、地下水採取地点の位置及び地下水採取地点毎の着目成分の濃度を入力する入力手段２と、２地点の地下水中の着目成分の濃度を比較する比較手段と、２地点を結ぶ線分の中点で線分と直交する平面で区分された範囲のうち着目成分の濃度が高い方の地点のある範囲を腐食金属塊埋没範囲とすることを地下水を採取した地点のうちの２地点の組み合わせ毎に行う埋没範囲設定手段と、２地点の組み合わせ毎の腐食金属塊埋没範囲の全てが重なる部分を抽出する抽出手段を含む演算装置３と、地下水採取地点の位置及び部分を表示する表示手段４とを有するものである。
【００２６】
入力手段２は数値等を入力可能なキーボード又はペン入力が可能なタッチパネルを有するもの若しくはその両方を有するものである。
【００２７】
演算装置３には入力手段２及び表示手段４が接続されている。また、演算装置３は比較手段、埋没範囲設定手段及び抽出手段、並びに記憶手段を有する。
【００２８】
表示手段４は画面上に文字や図形等を表示可能なものであり、例えばモニターである。
【００２９】
また、図１に本実施形態のフローチャートを示す。本実施形態の腐食金属塊の埋没位置探査方法は、金属塊が腐食することにより地下水に溶出した金属塊含有成分を着目成分とし、２地点の地下水中の着目成分の濃度を比較し、２地点を結ぶ線分の中点で線分と直交する平面で区分された範囲のうち着目成分の濃度が高い方の地点のある範囲を腐食金属塊埋没範囲とすることを地下水を採取した地点のうちの２地点の組み合わせ毎に行い、２地点の組み合わせ毎の腐食金属塊埋没範囲の全てが重なる部分に腐食金属塊が埋没していると判断するものである。
【００３０】
以下、図１に示すフローチャート並びに図２〜９及び図１６に従って説明する。
【００３１】
まず、探査対象地域Ａ０の設定を行う（Ｓ１）。探査対象地域Ａ０とは、腐食金属塊が埋没しているか否か並びに腐食金属塊が埋没している場合にその埋没位置の探査を行う地域を指す。具体的には例えば、新たに開発を行う場合のその開発区域や学校の敷地等、探査の目的に合わせて特に安全を確認することが望ましい区域を作業者が決定する。
【００３２】
探査対象地域Ａ０の設定は、例えば演算装置３の記憶手段に予め地図を記憶させておき、その地図を表示手段４に表示して入力手段２を用いて行う。この際、キーボードを用いて数値で位置情報を入力するようにしても良いし、タッチパネルを用いて表示手段４に表示された地図上で地域を指定するようにしても良い。
【００３３】
また、地図を表示することなく、キーボードを用いて数値により入力された位置情報やタッチパネルを用いて指定された地点を基に探査対象地域Ａ０を表示するようにしても良い。
【００３４】
位置の定義は例えば緯度経度座標系を用いても良いし、任意の位置を原点としたＸ−Ｙ座標系を用いても良い。
【００３５】
演算装置３は入力手段２によって入力された探査対象地域Ａ０の位置情報を記憶手段に記憶する。また、表示手段４は上記により設定された探査対象地域Ａ０を表示する。
【００３６】
次に、探査の初期段階として地下水を採取する地点の設定を行う（Ｓ２）。地下水採取地点は、地上構造物の有無等から調査孔の掘削可能性を確認した上で作業員が決定する。
【００３７】
本実施形態では、図２に示すように、初期の地下水採取地点をＰ１、Ｐ２、Ｐ３及びＰ４（以下適宜、Ｐ１〜４と表記する）の４地点とする。なお、本実施形態では初期の地下水採取地点を４箇所としているがこれに限定されるものではなく、少なくとも２箇所で地下水を採取すれば良い。また、４箇所より多くても構わない。
【００３８】
また、本実施形態では腐食金属塊がいずれの場所に埋没していたとしてもその腐食金属塊と地下水採取地点の距離が小さくなるように地下水採取地点を探査対象地域Ａ０の内側に決定している。しかしながらこれに限定されるものではなく、探査対象地域Ａ０の境界線上や地上に構造物がある場合等においては探査対象地域Ａ０の外側に決定しても良い。
【００３９】
地下水採取地点Ｐ１〜４の設定は、キーボードを用いて数値で地点毎の位置情報を入力するようにしても良いし、タッチパネルを用いて表示手段４に表示された探査対象地域Ａ０に対して地点毎の位置を指定するようにしても良い。
【００４０】
演算装置３は上記により入力された地下水採取地点Ｐ１〜４の位置情報を記憶手段に記憶する。
【００４１】
次に、地下水の採取を行う（Ｓ３）。地下水の採取は地下水採取地点Ｐ１〜４の各地点で例えばボーリングを行いそのボーリング孔に調査装置を挿入して行う。ここで、各地点の地下水の採取は腐食金属塊が埋没していると考えられる深度の範囲で行う。例えば深度３００ｍ程度までの地下水を採取する。
【００４２】
地下水の採取は、ボーリング孔の最深部のみで採取するようにしても良いし、その途中の地点も含む複数の深度で採取するようにしても良い。この場合には、採取した深度とその深度で採取された地下水を対応させておくと共に複数の深度で採取した地下水を区別しておくことが必要である。
【００４３】
次に、採取した地下水の成分の分析を行う（Ｓ４）。地下水の成分分析は、地下水に含まれる微量金属イオンを定量的に分析することにより行う。具体的には例えば、原子吸光分析方法や蛍光Ｘ線分析装置を用いることにより行う。
【００４４】
ここで、腐食金属塊の探査を行うためには、地下水の成分分析において、天然・自然に存在する成分と区別することができる金属の含有成分に着目する。即ち、自然界では鉱石として化合物の形態で存在していたものを精錬・製鋼等により金属の形にして人工的に取り出した含有成分に着目する。換言すれば、地下水の成分分析において着目する含有成分は、金属塊が腐食することにより地下水に溶け出す金属の含有成分であって、天然・自然に存在する成分と区別することができる含有成分であれば良い。具体的には例えば、ニッケル、マンガン、モリブデン、バナジウム、タングステン、タンタル等の金属元素、或いは炭素、ケイ素、リン、硫黄等の不純物元素、更に腐食生成物等の中から１若しくは２以上の成分に着目する。地下水の成分分析において着目する金属塊の含有成分を以下、着目成分と呼ぶ。
【００４５】
なお、地下水の成分分析は、先に採取（Ｓ３）した地下水を地上で回収して行うようにしても良いし、ボーリング孔に地下水の成分分析が可能な調査装置を挿入してその場で地下水の成分分析をするようにしても良い。
【００４６】
地下水の成分分析の結果得られる地下水採取地点Ｐ１〜４毎の着目成分の濃度を入力手段２を用いて数値データとして演算装置３に入力する。演算装置３は入力された濃度データを記憶手段に記憶する。
【００４７】
次に、着目成分の検出の有無を確認する（Ｓ５）。この確認は地下水の成分の分析（Ｓ４）の結果に基づいて作業者が行う。
【００４８】
地下水採取地点Ｐ１〜４のいずれの地下水からも着目成分が検出されなかった場合には（Ｓ５；Ｎｏ）、探査対象地域Ａ０内の探査対象金属塊の埋没の有無を判断する（Ｓ６）。この判断は、地下水採取地点の間隔等に基づいて作業者が行う。例えば地下水採取地点の間隔が密な場合で探査対象地域Ａ０内に探査対象金属塊が埋没していないことが十分に確認できたと作業者が判断した場合には（Ｓ６；Ｙｅｓ）、探査対象地域Ａ０内の調査対象深度以浅には腐食金属塊は埋没していないとして処理を終了する（Ｓ１１）。
【００４９】
一方、探査対象地域Ａ０内に探査対象金属塊が埋没していないことが十分には確認できないと作業者が判断した場合には（Ｓ６；Ｎｏ）、地下水採取地点の設定のステップ（Ｓ２）に戻る。
【００５０】
また、地下水から着目成分が検出された場合には（Ｓ５；Ｙｅｓ）、腐食金属塊の埋没範囲の絞り込みのステップ（Ｓ７〜Ｓ１０）に移る。
【００５１】
演算装置３の比較手段は、記憶手段に記憶された地下水採取地点Ｐ１〜４毎の着目成分の濃度データを基に地下水採取地点Ｐ１〜４のうちの２地点毎の濃度の比較を行う（Ｓ７）。
【００５２】
具体的には、記憶手段から地下水採取地点Ｐ１とＰ２の着目成分の濃度を読み出して比較し、どちらの地点の方が着目成分の濃度が高いかを判定する。更に、地下水採取地点Ｐ１〜４のうちの全ての２地点の組み合わせ毎に着目成分の濃度の比較を行う。即ち、地下水採取地点Ｐ１とＰ３、Ｐ１とＰ４、Ｐ２とＰ３、Ｐ２とＰ４及びＰ３とＰ４のそれぞれの組み合わせについても着目成分の濃度の比較を行う。そして、演算装置３は、比較手段による２地点の組み合わせ毎の着目成分の濃度の比較の結果を記憶手段に記憶する。
【００５３】
演算装置３の埋没範囲設定手段は、地下水採取地点Ｐ１〜４の２地点の組み合わせ毎に腐食金属塊の埋没範囲の設定を行う（Ｓ８）。
【００５４】
具体的には、記憶手段から地下水採取地点Ｐ１とＰ２の位置情報及び着目成分の濃度の比較の結果を読み出し、地下水採取地点Ｐ１の方が高い場合には腐食金属塊は地下水採取地点Ｐ２よりも地下水採取地点Ｐ１に近い側に埋没していると判断する。即ち、図３に示すように、地下水採取地点Ｐ１とＰ２を結ぶ線分ａの中点ａcを通る線分ａの垂直二等分線Ｖaよりも地下水採取地点Ｐ１側の範囲Ａ１を腐食金属塊の埋没範囲として設定する。
【００５５】
埋没範囲設定手段は、上記と同様の腐食金属塊の埋没範囲の設定を地下水採取地点Ｐ１〜４のうちの全ての２地点の組合せ毎に行う。
【００５６】
即ち、地下水採取地点Ｐ１とＰ３の組み合わせではＰ３の方が着目成分の濃度が高い場合には、図４に示すように、地下水採取地点Ｐ１とＰ３を結ぶ線分ｂの中点ｂcを通る線分ｂの垂直二等分線Ｖbよりも地下水採取地点Ｐ３側の範囲Ａ２を腐食金属塊の埋没範囲として設定する。
【００５７】
また、地下水採取地点Ｐ１とＰ４の組み合わせではＰ１の方が着目成分の濃度が高い場合には、図５に示すように、地下水採取地点Ｐ１とＰ４を結ぶ線分ｃの中点ｃcを通る線分ｃの垂直二等分線Ｖcよりも地下水採取地点Ｐ１側の範囲Ａ３を腐食金属塊の埋没範囲として設定する。
【００５８】
更に、地下水採取地点Ｐ２とＰ３の組み合わせではＰ３の方が着目成分の濃度が高い場合には、図６に示すように、地下水採取地点Ｐ２とＰ３を結ぶ線分ｄの中点ｄcを通る線分ｄの垂直二等分線Ｖdよりも地下水採取地点Ｐ３側の範囲Ａ４を腐食金属塊の埋没範囲として設定する。
【００５９】
また、地下水採取地点Ｐ２とＰ４の組み合わせではＰ４の方が着目成分の濃度が高い場合には、地下水採取地点Ｐ２とＰ４を結ぶ線分の中点を通る垂直二等分線よりも地下水採取地点Ｐ４側の範囲を腐食金属塊の埋没範囲として設定する。この範囲は、図４に示すＡ２と同一の範囲となる。
【００６０】
また、地下水採取地点Ｐ３とＰ４の組み合わせではＰ３の方が着目成分の濃度が高い場合には、地下水採取地点Ｐ３とＰ４を結ぶ線分の中点を通る垂直二等分線よりも地下水採取地点Ｐ３側の範囲を腐食金属塊の埋没範囲として設定する。この範囲は、図３に示すＡ１と同一の範囲となる。
【００６１】
演算装置３は、埋没範囲設定手段による２地点の組み合わせ毎の埋没範囲の設定の結果を記憶手段に記憶する。
【００６２】
抽出手段は、記憶手段に記憶されている２地点の組み合わせ毎の埋没範囲の設定の結果を用いて、腐食金属塊埋没範囲の重複部分の抽出を行う（Ｓ９）
【００６３】
具体的には、埋没範囲設定手段により設定された範囲Ａ１、Ａ２、Ａ３、Ａ４の全てが重なる部分Ａ５を腐食金属塊の埋没範囲として抽出する（図７）。
【００６４】
また、表示手段４は、部分Ａ５を表示する。
【００６５】
表示手段４に表示された部分Ａ５に基づいて、作業者が腐食金属塊埋没範囲の絞り込みが十分か否かを判断する（Ｓ１０）。例えば、埋没している腐食金属塊の回収が可能な範囲まで絞り込まれているか、或いは他の方法を用いることにより腐食金属塊の位置を特定することが可能な範囲まで絞り込まれているか等を基準として判断する。
【００６６】
そして、絞り込みが十分であると判断した場合には（Ｓ１０；Ｙｅｓ）、腐食金属塊の埋没範囲はＡ５であるとして処理を終了する（Ｓ１１）。
【００６７】
また、腐食金属塊の埋没範囲の絞り込みが十分でないと判断した場合には（Ｓ１０；Ｎｏ）、再度地下水採取地点の設定（Ｓ２）に戻る。そして、図８に示すように、Ｓ９で絞り込まれた部分Ａ５の中に新たな地下水採取地点Ｐ５及びＰ６を設定し（Ｓ２）、地下水を採取する（Ｓ３）。
【００６８】
新たに採取した地下水それぞれについて地下水の成分の分析を行い（Ｓ４）、その結果を用いて腐食金属塊の埋没範囲の設定を地下水採取地点Ｐ３、Ｐ５、Ｐ６の全ての２地点の組合せ毎に行う（Ｓ７）。その結果、地下水採取地点Ｐ３と比べて地下水採取地点Ｐ５の方が着目成分の濃度が高く、地下水採取地点Ｐ３と比べて地下水採取地点Ｐ６の方が着目成分の濃度が高く、更に地下水採取地点Ｐ６と比べて地下水採取地点Ｐ５の方が着目成分の濃度が高い場合には、腐食金属塊の埋没範囲が部分Ａ６まで更に絞り込まれる（Ｓ８及びＳ９、図９）。
【００６９】
部分Ａ６について、作業者が腐食金属塊埋没範囲の絞り込みが十分か否かを判断する（Ｓ１０）。そして、絞り込みが十分であると判断した場合には（Ｓ１０；Ｙｅｓ）、腐食金属塊の埋没範囲はＡ６であるとして処理を終了する（Ｓ１１）。
【００７０】
なお、前記までの処理により平面的な位置が絞り込まれた場合に、金属塊が埋没している深度を絞り込む場合には一つのボーリング孔での深度別の着目成分の濃度を比較することにより絞り込むことが可能である。
【００７１】
具体的には、腐食金属塊の埋没範囲として平面的に絞り込まれた範囲内若しくはその近傍のボーリング孔において深度の異なる複数の地下水を採取する。そして、地下水を採取した層のうち着目成分の濃度が最も高くなっている層が腐食金属塊の埋没層であるとして絞り込むことが可能である。
【００７２】
また、本実施形態は、金属塊含有成分は探査対象の金属塊の製造時期に特徴的な金属塊含有成分であるようにしている。
【００７３】
特定の時期に製造された金属塊を探査する場合には、その時期に特徴的な含有成分に着目して地下水の成分分析を行う。
【００７４】
具体的には、製造時期毎の精錬・製鋼方法あるいは品質レベルの相違によるものであって探査対象金属塊の製造時期を特定可能な金属塊の含有成分の特徴を設定して行う。
【００７５】
例えば、第二次世界大戦前若しくは第二次世界大戦中に製造された金属塊であれば主成分の鉄の他に強度や強靱さを高める等のためにニッケル、モリブデン、バナジウム、タングステンといった元素が多く含まれている。また、精錬・製鋼技術が現在ほどは進んでいなかったためにリン、硫黄等の不純物元素も現在より多く含まれている等が挙げられる。
【００７６】
＜第２の実施形態＞
第１の実施形態と同じく図１６に本実施形態の腐食金属塊の埋没位置探査装置１の構成を示す。本実施形態の腐食金属塊の埋没位置探査装置１は、地下水採取地点の位置及び地下水採取地点毎の着目成分の濃度並びに地下水流路の位置及び地下水流路の地下水の流れの向きを入力する入力手段２と、地下水流路上の地下水採取地点の地下水から着目成分が検出された場合には地下水採取地点の上流側の範囲を腐食金属塊埋没範囲とし、地下水流路上の地下水採取地点の地下水から着目成分が検出されない場合には地下水採取地点の下流側の範囲を腐食金属塊埋没範囲とする埋没範囲設定手段を有する演算装置３と、地下水採取地点の位置及び地下水流路の位置並びに腐食金属塊埋没範囲を表示する表示手段４とを有するものである。
【００７７】
入力手段２と表示手段４は第１の実施形態と同様であるので詳細については省略する。
【００７８】
演算装置３には入力手段２及び表示手段４が接続されている。また、演算装置３は埋没範囲設定手段並びに記憶手段を有する。
【００７９】
また、図１０に本実施形態のフローチャートを示す。本実施形態の腐食金属塊の埋没位置探査方法は、金属塊が腐食することにより地下水に溶出した金属塊含有成分を着目成分とし、地下水流路上の地点の地下水から着目成分が検出された場合には地点の上流側の範囲を腐食金属塊埋没範囲とし、地下水流路上の地点の地下水から着目成分が検出されない場合には地点の下流側の範囲を腐食金属塊埋没範囲とするものである。
【００８０】
以下、図１０に示すフローチャート並びに図１１〜１５及び図１６に従って説明する。
【００８１】
まず、探査対象地域Ａ０の設定を行う（Ｓ２０１）。このステップについては第１の実施形態の探査対象地域の設定（Ｓ１）と同様であるのでここでは省略する。
【００８２】
次に、探査対象地域Ａ０の地下水流路マップ（水みちマップとも呼ばれる）の有無を確認する（Ｓ２０２）。地下水流路マップがある場合には（Ｓ２０２；Ｙｅｓ）、地下水採取地点の設定のステップ（Ｓ２０４）に移る。一方、地下水流路マップが無い場合には（Ｓ２０２；Ｎｏ）、地下水流路マップを作成する（Ｓ２０３）。
【００８３】
地下水流路マップは多孔式のトレーサー法や単孔式のレーザー法、或いは地温測定法等の周知の地下水流動の調査方法により作成することが可能であり（例えば、地下水学会誌第３６巻第４号pp.４７３〜４８５，１９９４年）、詳細についてはここでは省略する。
【００８４】
本実施形態では、地下水流路マップより探査対象地域Ａ０に図１１に示すような地下水流路Ｗが存在していることが分かった場合を考える。なお、地下水は矢印で示すように図１１の上から下に向かって流れているものとする。また、地下水流路Ｗの位置及び地下水流路Ｗの地下水の流れの向きを入力手段２を用いて演算装置３に入力する。この入力は例えば地下水流路の中央線の位置座標及び幅をキーボードを用いて数値で入力するようにしても良いし、タッチパネルを用いて表示手段４に表示された地図上で指定するようにしても良い。
【００８５】
次に、探査の初期段階として地下水を採取する地点の設定を行う（Ｓ２０４）。地下水採取地点は、地上構造物の有無等から調査孔の掘削可能性を確認した上で作業員が決定する。
【００８６】
本実施形態では、図１２に示すように、初期の地下水採取地点をＰ２１とする。なお、本実施形態では初期の地下水採取地点を１箇所としているがこれに限定されるものではなく、複数地点で地下水を採取するようにしても良い。
【００８７】
また、本実施形態では地下水採取地点を地下水流路Ｗの下流側の探査対象地域Ａ０の境界線上に決定している。しかしながらこれに限定されるものではなく、探査対象地域Ａ０の内側に決定しても良い。更に、地上に構造物がある場合等においては探査対象地域Ａ０の外側に決定しても良い。
【００８８】
地下水採取地点Ｐ２１の設定は、キーボードを用いて数値で位置情報を入力するようにしても良いし、タッチパネルを用いて表示手段４に表示された探査対象地域Ａ０に対して位置を指定するようにしても良い。
【００８９】
演算装置３は上記により入力された地下水採取地点Ｐ２１の位置情報を記憶手段に記憶する。
【００９０】
次に、地下水の採取を行う（Ｓ２０５）。地下水の採取は地下水採取地点Ｐ２１で例えばボーリングを行いそのボーリング孔に調査装置を挿入して行う。この際、調査装置を地中の地下水流路Ｗの深度に配置するようにして地下水流路Ｗ中の地下水を採取する。
【００９１】
次に、採取した地下水の成分の分析を行う（Ｓ２０６）。地下水の成分分析は、第１の実施形態の地下水の成分の分析（Ｓ４）と同様であるので、詳細については省略する。
【００９２】
地下水の成分分析の結果得られる地下水採取地点Ｐ２１の着目成分の濃度を入力手段２を用いて数値データとして演算装置３に入力する。演算装置３は入力された濃度データを記憶手段に記憶する。
【００９３】
演算装置３の埋没範囲設定手段は、腐食金属塊の埋没範囲の設定を行う（Ｓ２０７）。
【００９４】
具体的には、記憶手段から地下水採取地点Ｐ２１の着目成分の濃度を読み出し、着目成分が検出されている場合には地下水採取地点Ｐ２１の上流側の範囲を腐食金属塊埋没範囲とする。即ち、地下水採取地点Ｐ２１の上流側の地下水流路Ｗ上又はその近傍に探査対象の腐食金属塊が埋没していることとなる。
【００９５】
この範囲を基に作業者が腐食金属塊埋没範囲の絞り込みが十分か否かを判断する（Ｓ２０８）。この判断は第１の実施の形態のＳ１０と同様であるので詳細は省略する。
【００９６】
そして、絞り込みが十分であると作業者が判断した場合には（Ｓ２０８；Ｙｅｓ）処理を終了する（Ｓ２０９）。
【００９７】
一方、腐食金属塊の埋没範囲の絞り込みが十分でないと作業者が判断した場合には（Ｓ２０８；Ｎｏ）、再度地下水採取地点の設定（Ｓ２０４）に戻る。そして、図１３に示すように、地下水流路Ｗ上に新たな地下水採取地点Ｐ２２を設定し（Ｓ２０４）地下水を採取する（Ｓ２０５）。
【００９８】
この結果、地下水採取地点Ｐ２２の地下水から着目成分が検出されなかった場合には、埋没範囲設定手段は地下水採取地点Ｐ２２の下流側の範囲を腐食金属塊埋没範囲と設定する。ここまでの処理の結果、図１３に示すように、腐食金属塊の埋没範囲はＡ２１となる。
【００９９】
絞り込みが未だ十分でないと判断した場合には（Ｓ２０８；Ｎｏ）、再度地下水採取地点の設定（Ｓ２０４）に戻る。そして、図１４に示すように、地下水流路Ｗ上に新たな地下水採取地点Ｐ２３を設定し（Ｓ２０４）地下水を採取する（Ｓ２０５）。
【０１００】
この結果、地下水採取地点Ｐ２３の地下水から着目成分が検出された場合には、埋没範囲設定手段は地下水採取地点Ｐ２３の上流側の範囲を腐食金属塊埋没範囲と設定する。ここまでの処理の結果、図１４に示すように、腐食金属塊の埋没範囲はＡ２２となる。
【０１０１】
作業者により絞り込みが十分であると判断されるまでこれらの処理（Ｓ２０４〜Ｓ２０８）を繰り返し、絞り込みが十分であると判断された場合に（Ｓ２０８；Ｙｅｓ）処理を終了する（Ｓ２０９）。
【０１０２】
なお、探査の初期において地下水を採取した地下水採取地点Ｐ２１の地下水から着目成分が検出されなかった場合には、地下水採取地点Ｐ２１の下流側の範囲を腐食金属塊埋没範囲とする。即ち、地下水採取地点Ｐ２１の上流側の地下水流路Ｗの近傍に探査対象の腐食金属塊は埋没していないこととなる。この場合には、作業者がこの結果を基に探査対象地域Ａ０内の探査対象金属塊の埋没の有無を判断する（Ｓ２０８）。この判断は、探査対象地域Ａ０の広さや地下水流路網の広がり等に基づいて行う。例えば地下水流路網が対象地域Ａ０全体に広がっていると共に間隔が密な場合で探査対象地域Ａ０内に探査対象金属塊が埋没していないことが十分に確認できたと作業者が判断した場合には、探査対象地域内には腐食金属塊は埋没していないとして処理を終了する場合もある。
【０１０３】
また、本実施形態は、金属塊含有成分は探査対象の金属塊の製造時期に特徴的な金属塊含有成分であるようにしている。
【０１０４】
この特定の時期に製造された金属塊を探査する場合は、第１の実施形態と同様であるので詳細については省略する。
【０１０５】
＜その他の実施形態＞
その他の実施形態として、第１の実施形態と第２の実施形態を組み合わせて実施する形態も考えられる。
【０１０６】
例えば、第１の実施形態である地下水を採取した２地点の組合せ毎の腐食金属塊の埋没範囲の絞り込みの結果に対して第２の実施形態である地下水流路マップを用いた埋没範囲の絞り込みを行うことにより埋没範囲を絞り込む方法が考えられる。
【０１０７】
また、第２の実施形態を用いた埋没範囲の絞り込みの結果に対して第１の実施形態を用いた埋没範囲の絞り込みを行う方法も考えられる。
【０１０８】
更に、第１の実施形態の絞り込みの結果に対して第２の実施形態の絞り込みを行い、更に第１の実施形態の絞り込みを行う方法も考えられる。このように第１の実施形態と第２の実施形態を組み合わせた実施方法については特に制限はなく、どのような順番で組み合わせて実施しても良い。
【０１０９】
なお、上述の形態は本発明の好適な形態の一例ではあるがこれに限定されるものではなく本発明の要旨を逸脱しない範囲において種々変形実施可能である。例えば、本実施形態では新たに地下水を採取して成分分析を行うようにしているが、既に採取されている地下水の試料を用いても良いし、或いは既存の地下水の成分分析結果を用いても良い。
【図面の簡単な説明】
【０１１０】
【図１】本発明の腐食金属塊の埋没位置探査方法の第１の実施形態を説明するフローチャートである。
【図２】第１の実施形態の探査対象地域に対する地下水採取地点の設定を示す図である。
【図３】第１の実施形態の地下水採取地点Ｐ１とＰ２の地下水の成分分析の結果に基づく埋没範囲の絞り込みの説明図である。
【図４】第１の実施形態の地下水採取地点Ｐ１とＰ３の地下水の成分分析の結果に基づく埋没範囲の絞り込みの説明図である。
【図５】第１の実施形態の地下水採取地点Ｐ１とＰ４の地下水の成分分析の結果に基づく埋没範囲の絞り込みの説明図である。
【図６】第１の実施形態の地下水採取地点Ｐ２とＰ３の地下水の成分分析の結果に基づく埋没範囲の絞り込みの説明図である。
【図７】第１の実施形態の地下水を採取した２地点の組合せ毎の埋没範囲の絞り込みの結果を示す図である。
【図８】第１の実施形態の埋没範囲の更なる絞り込みのための地下水採取地点の設定を示す図である。
【図９】第１の実施形態の埋没範囲の更なる絞り込みの結果を示す図である。
【図１０】本発明の腐食金属塊の埋没位置探査方法の第２の実施形態を説明するフローチャートである。
【図１１】第２の実施形態の探査対象地域における地下水流路の状況を示す図である。
【図１２】第２の実施形態の地下水採取地点の設定を示す図である。
【図１３】第２の実施形態の地下水採取地点Ｐ２１とＰ２２の地下水の成分分析の結果に基づく埋没範囲の絞り込みの結果を示す図である。
【図１４】第２の実施形態の地下水採取地点Ｐ２３の地下水の成分分析の結果に基づく埋没範囲の更なる絞り込みの結果を示す図である。
【図１５】第２の実施形態の地下水採取地点Ｐ２４の地下水の成分分析の結果に基づく埋没範囲の更なる絞り込みの結果を示す図である。
【図１６】実施形態の腐食金属塊の埋没位置探査装置の構成図である。
【図１７】従来の地下埋設物の探査装置の構成図である。
【符号の説明】
【０１１１】
１  埋没位置探査装置
２  入力手段
３  演算装置
４  表示手段
Ｐ１、Ｐ２、Ｐ３、Ｐ４、Ｐ５、Ｐ６  地下水採取地点
ａ、ｂ、ｃ、ｄ  地下水採取地点を結ぶ線分
ａc、ｂc、ｃc、ｄc  地下水採取地点を結ぶ線分の中点
Ｖａ、Ｖb、Ｖc、Ｖd  地下水採取地点を結ぶ線分の中点を通るこの線分の垂直二等分線
Ａ１、Ａ２、Ａ３、Ａ４、Ａ５、Ａ６  腐食金属塊の埋没範囲
Ｗ  地下水の流路
【図１】
2007040802.tif 000003
【図２】
2007040802.tif 000004
【図３】
2007040802.tif 000005
【図４】
2007040802.tif 000006
【図５】
2007040802.tif 000007
【図６】
2007040802.tif 000008
【図７】
2007040802.tif 000009
【図８】
2007040802.tif 000010
【図９】
2007040802.tif 000011
【図１０】
2007040802.tif 000012
【図１６】
2007040802.tif 000013
【図１７】
2007040802.tif 000014
【図１１】
2007040802.tif 000015
【図１２】
2007040802.tif 000016
【図１３】
2007040802.tif 000017
【図１４】
2007040802.tif 000018
【図１５】
2007040802.tif 000019